(57)【要約】  【課題】２本のエラスティックコードの端部を有効的に挟持して的確に紐端を固定できる品質のよい紐端止め具を提供する。  【解決手段】紐端止め具は樹脂製の係止本体１とカバー体２とから形成し、係止本体１は前壁５、後壁６、側壁７および頂部８から形成し、前壁５と後壁６は頂部８を残して縦方向に分割して両側壁７を弾性変形可能に形成し、この両側壁７に設けた折曲部１０の下端にＶ字状の溝部１１を設け、溝部１１の深部１２は急勾配に形成してゴム紐などの挿入紐３をＵ字状に挿入し縮径されても食い込む状態に挟持する。カバー体２は係止本体１を嵌め込むための筒状部２０と底部２１から形成し、カバー体２は係止本体１と係止でき、低部２１には折曲部１０に対向して突出する突出部２２を設けて折曲部１０に挟持した挿入紐３を常時圧接し、挿入紐３の弛緩を阻止できる。  【選択図】図６
2006250243.tif 000002
【特許請求の範囲】
【請求項１】
紐端止め具は、係止本体１とカバー体２とから形成し、係止本体１は頂部８と、頂部８から延出して並行する挿入紐３を逆送方向へ折曲できる弾性変形可能な折曲部１０を形成し、該折曲部１０はカバー体２の内面とで挿入紐３を圧接し、係止本体１とカバー体２とを係止可能に形成してなることを特徴とする紐端止め具。
【請求項２】
係止本体１に設ける折曲部１０に挿入紐３を保持できるＶ字形を呈する溝部１１を形成してなる請求項１記載の紐端止め具。
【請求項３】
係止本体１に設ける折曲部１０を係止本体１の両側壁７に設け、挿入紐３を内側へ折曲してなる請求項１記載の紐端止め具。
【請求項４】
係止本体１に設ける側壁７の外面を断面弧状に形成し、挿入紐３の導入を可能に形成してなる請求項１記載の紐端止め具。
【請求項５】
係止本体１に設ける左右の折曲部１０間の上部に挿入紐３を仮保持するための収容部１４を設けてなる請求項１記載の紐端止め具。
【請求項６】
係止本体１に設ける折曲部１０の上端の頂部８を漸次縮小させ、折曲部１０を弾性変形可能に形成してなる請求項１記載の紐端止め具。
【請求項７】
係止本体１の前壁５および後壁６の上端を除く壁面を分割し、前壁５に食い違い状に規制部１５を横方向へ突設してなる請求項１記載の紐端止め具。
【請求項８】
カバー体２の底面に係止本体１の折曲部１０に対向して突出する突出部２２を設けてなる請求項１記載の紐端止め具。
【請求項９】
係止本体１は一対の折曲部１０を設け、カバー体２は筒状部２０と底部２１とを係止可能に形成し、底部２１の内面に折曲部１０に対向する突出部２２を設けてなる請求項１記載の紐端止め具。
【発明の詳細な説明】
【技術分野】
【０００１】
この発明は、２本の伸縮自在すなわちエラスティックコード用のコード、例えば丸紐、平紐などの紐の端部を引き揃えて固定することができる、コード用エンドストッパーに関するものである。
【背景技術】
【０００２】
従来、カメラなどに取り付けるストラップの端部を結束させる手段として、ストラップが挿入されるコネクター本体とコアから形成されるストラップコネクターにおいて、コネクター本体は中空な四角状に形成し、対向する二面に開口を形成し、コアはストラップの二本分の径と同幅な溝部と、ストラップの径と等しい間隔をあけて配した基部とから形成し、基部は溝部の端面の幅を溝部の幅より大きくし、コネクター本体にコアを嵌入したときにコネクター本体の内面の幅と基部の幅との差が基部の両側でストラップの径と等しくなるように形成したストラップコネクターが図１２に示すように知られている。
【０００３】
また、図１３に示すように、外観形状が釣鐘状で上部に角状の平紐を挿入できる挿入口を設け、この挿入口から内方へ突出するリブを設けて挿入する平紐の先端をＳ字状に折曲することができる、勿論リブに沿ってふさ状構造物を挿入して、挿入する平紐をＳ字状に折曲し、このふさ状の構造物の先端に係止部を備えた円板を係止するふさ状構造物すなわちコード用エンドストッパーが知られている。
【特許文献１】実公平３−２９６３５号公報
【特許文献２】米国特許第４７８２５６０号明細書
【発明の開示】
【発明が解決しようとする課題】
【０００４】
前述の図１２に示したストラップコネクターは、挿入紐を積極的に弾性変形して折曲する折曲部を設けていないので、挿入する挿入紐の径の太さによって、確実に把持できるが、場合によっては、コネクター本体とコアとが一定のため挿入紐がスリップする恐れが生ずるなど問題点がある。また図１３に示すコード用エンドストッパーもまた、挿入紐の挿入口に設けたリブが弾性変形ができていないので、挿入紐の形態が限定され、いかなる形態の挿入紐にも適用し係止することができないなど問題点がある。
【０００５】
この発明は、上述の問題点を考慮して発明されたものであり、請求項１記載の発明は、紐端止め具、係止本体とカバー体とから形成し、係止本体に挿入する挿入紐を容易に挿入し折曲するため、弾性変形ができる折曲部を設けて効率よく折曲し、係止本体からたやすく抜脱できないようにカバー体を圧接できる形態の品質のよい紐端止め具を提供することが主たる目的である。
【０００６】
請求項２記載の発明は、請求項１記載の発明の目的に加え、係止本体に設置する折曲部にいかなる太さの挿入紐でも容易に保持することができる機構を備えた紐端止め具を提供することが目的である。
【０００７】
請求項３記載の発明は、請求項１記載の発明の目的に加え、係止本体に設置する折曲部に対し、挿入する２本の挿入紐を係止本体の内側へ無理なく理想的に折り曲げることができる紐端止め具を提供することが目的である。
【０００８】
請求項４記載の発明は、請求項１記載の発明の目的に加え、係止本体に設置する折曲部に対し、挿入する挿入紐を容易に配置することができる紐端止め具を提供することが目的である。
【０００９】
請求項５記載の発明は、請求項１記載の発明の目的に加え、係止本体に設置する折曲部に対し、この折曲部間の上部に挿入紐を仮に保持することができる収容部を配した紐端止め具を提供することが目的である。
【００１０】
請求項６記載の発明は、請求項１記載の発明の目的に加え、係止本体に設置する折曲部が上端を容易に弾性変形ができるように形成し、挿入される挿入紐を容易に挟持できる紐端止め具を提供することが目的である。
【００１１】
請求項７記載の発明は、請求項１記載の発明の目的に加え、係止本体に対し、挿入する挿入紐を容易に収容し、挿入された挿入紐を容易に抜脱することができないように簡単な機構を採り入れて防止した紐端止め具を提供することが目的である。
【００１２】
請求項８記載の発明は、請求項１記載の発明の目的に加え、係止本体へ挿入した挿入紐をカバー体によって簡単に抜脱を阻止することができる紐端止め具を提供することが目的である。
【００１３】
請求項９記載の発明は、請求項１記載の発明の目的に加え、コードエンドストッパーを係止本体とカバー体が筒状部と底部とに分割し、組立てが容易にでき、挿入された挿入紐を確実に抜脱を阻止できる紐端止め具を提供することが目的である。
【課題を解決するための手段】
【００１４】
前記の目的を達成するため、この発明のうち請求項１記載の発明は、紐端止め具は、係止本体１とカバー体２とから形成し、係止本体１に対し挿入する並行な挿入紐３を逆送方向へ折り曲げることができ、かつ弾性変形ができる折曲部１０を係止本体１の内部に設け、この折曲部１０に対してカバー体２の底部２１の内面が折曲部１０に対してカバー体２の底部２１の内面と、折曲部１０との間で挿入紐３を圧接させるとともに、係止本体１とカバー体２とが係止できるように形成した紐端止め具を主な構成とするものである。
【００１５】
請求項２記載の発明は、請求項１記載の発明の構成に加え、係止本体１に設置する折曲部１０に挿入する挿入紐３をいかなる太さの挿入紐３でも保持できるＶ字形を呈する溝部１１を形成した紐端止め具である。
【００１６】
請求項３記載の発明は、請求項１記載の発明の構成に加え、係止本体１に設置する折曲部１０は、係止本体１の両側の側壁７に設け、挿入紐３を内方へ折曲できる紐端止め具である。
【００１７】
請求項４記載の発明は、請求項１記載の発明の構成に加え、係止本体１に設置する折曲部１０は、係止本体１の両側の側壁７における外面が横断面形状が弧状を呈し、挿入する挿入紐３の導入を容易にした紐端止め具である。
【００１８】
請求項５記載の発明は、請求項１記載の発明の構成に加え、係止本体１に設置する折曲部１０に対し、折曲部１０間の上部に挿入する挿入紐３を仮保持するための収容部１４を設けた紐端止め具である。
【００１９】
請求項６記載の発明は、請求項１記載の発明の構成に加え、係止本体１に設置する折曲部１０の上端の頂部８は、漸次縮小する形状に形成し、折曲部１０自身が容易に弾性変形できるように形成した紐端止め具である。
【００２０】
請求項７記載の発明は、請求項１記載の発明の構成に加え、係止本体１における前壁５と後壁６は、ともに上端を除く壁面を縦方向に分割し、かつ前壁５の上下方向に食い違い状を呈する規制部１５を分割部分へ向けて突出するように設けた紐端止め具である。
【００２１】
請求項８記載の発明は、請求項１記載の発明の構成に加え、カバー体２の底面に、係止本体１に設置した折曲部１０に対向して突出する突出部２２を設け、折曲部１０を圧接することができる紐端止め具である。
【００２２】
請求項９記載の発明は、請求項１記載の発明の構成に加え、紐端止め具は、係止本体１とカバー体２は筒状部２０と底部２１とから形成し、係止本体１は一対の折曲部１０を設け、カバー体２は筒状部２０と底部２１とを係止できるように形成し、底部２１の内面には折曲部１０に対向する突出部２２を設けた紐端止め具である。
【発明の効果】
【００２３】
この出願の発明の効果として、請求項１記載の発明は、紐端止め具は、係止本体とカバー体とから形成し、係止本体は頂部と、頂部から延出して並行する挿入紐を逆送方向へ折曲できる弾性変形可能な折曲部を形成し、該折曲部はカバー体の内面とで挿入紐を圧接し、係止本体とカバー体とを係止可能に形成したことによって、下記の効果を奏するものである。
【００２４】
この発明は、係止本体に挿入する挿入紐は、弾性変形ができる折曲部を設けたことによって、挿入操作がきわめて効率よく容易に行うことができ、しかも挿入された挿入紐は係止本体に係止できるカバー体の圧接によって、通常の使用状態では容易に抜脱することができない品質のよい紐端止め具に仕上るげことができる効果がある。
【００２５】
請求項２記載の発明は、請求項１記載の発明の効果に加え、係止本体に設ける折曲部に挿入紐を保持できるＶ字形を呈する溝部を形成したことによって、折曲部にＶ字形の溝部を形成したので、使用する挿入紐がいかなる太さの挿入紐でも容易かつ確実に把持できる効果がある。
【００２６】
請求項３記載の発明は、請求項１記載の発明の効果に加え、係止本体に設ける折曲部を本体の両側壁に設け、挿入紐を内側へ折曲したことによって、係止本体に挿入する挿入紐を無理なく左右に振り分けて折り曲げることができ、紐端止め具を横型すなわち薄型に形成できる効果がある。
【００２７】
請求項４記載の発明は、請求項１記載の発明の効果に加え、係止本体に設ける側壁の外面を断面弧状に形成し、挿入紐の導入を可能に形成したことによって、折曲部の外壁に沿って挿入紐をカバー体に邪魔されることなく安定した状態で収納できる効果がある。
【００２８】
請求項５記載の発明は、請求項１記載の発明の効果に加え、係止本体に設ける左右の折曲部間の上部に挿入紐を仮保持するための収容部を設けたことによって、係止本体に挿入する挿入紐の端部を余裕をもって折曲部間に挿入し、挿入紐の端部を体裁よく収容できる効果がある。
【００２９】
請求項６記載の発明は、請求項１記載の発明の効果に加え、係止本体に設ける折曲部の上端の頂部を漸次縮小させ、折曲部を弾性変形可能に形成したことによって、係止本体に設置する折曲部を簡単かつ容易に弾性変形ができ、かつ挿入される挿入紐を的確に挟持できる効果がある。
【００３０】
請求項７記載の発明は、請求項１記載の発明の効果に加え、係止本体の前壁および後壁の上端を除く壁面を分割し、前壁に食い違い状に規制部を横方向へ突設したことによって、係止本体に対し挿入紐を容易に挿入操作を行うことができ、しかも挿入後は挿入紐が妄りに抜脱することができない効果がある。
【００３１】
請求項８記載の発明は、請求項１記載の発明の効果に加え、カバー体の底面に係止本体の折曲部に対向して突出する突出部を設けたことによって、カバー体を折曲部に圧接し、係止本体から挿入紐が抜脱するのを未然に防ぐ効果がある。
【００３２】
請求項９記載の発明は、請求項１記載の発明の効果に加え、係止本体は一対の折曲部を設け、カバー体は筒状部と底部とを係止可能に形成し、底部の内面に折曲部に対向する突出部を設けたことによって、紐端止め具を係止本体とカバー体とから形成し、かつカバー体を筒状部と底部とに分割したので、挿入紐の挿入操作および固定操作がきわめて簡易かつ適切に行うことができる効果があるなど、この発明が奏する効果はきわめて顕著である。
【発明を実施するための最良の形態】
【００３３】
この発明における紐端止め具、すなわちコード用エンドストッパーは、熱可塑性樹脂から成形した係止本体１とカバー体２との２部材から形成し、係止本体１にゴム紐などの２本のエラスティックコードの端部を引き揃えて端部を挿入し、カバー体２を係止本体１に嵌め込んで係止し挿入紐３の端部を固定する。
【００３４】
係止本体１は、前壁５、後壁６、左右の側壁７および頂部８から形成し、前壁５と後壁６とは表裏において頂部８を残して分割して分割溝１７を設け、両側壁７が弾性変形可能に形成する。両側壁７は頂部８の下面から折曲部１０を延設し、この折曲部１０の先端にＶ字状の溝部１１を設け、溝部１１の深部１２は急勾配に形成して、ゴム紐などの挿入紐３が縮径されたときでも食い込む状態に挟持する。両側壁７の上端には係止部１９を設け、カバー体２の被係止部２３と係止できるように形成し、係止本体１の前壁５には分割溝１７へ向けて食い違い状に突出する規制部１５を設け、係止本体１に挿入した挿入紐３が抜脱するのを防止する。
【００３５】
カバー体２は、係止本体１が嵌め込める大きさの筒状部２０と底部２１とが形成し、筒状部２０の前方壁２４および後方壁２５の上端に矢尻状の被係止部２３を内方へ向け突設し、底部２１には折曲部１０に対向して内方へ突出する突出部２２を設けて係止本体１の左右２個の折曲部１０に対向できる突出部２２を突設し、折曲部１０に挟持された挿入紐３を常時圧接し、折曲部１０における挿入紐３の弛緩を阻止できる形態に形成した紐端止め具である。
【実施例１】
【００３６】
この発明の図１〜７に示す実施例１の紐端止め具は、図１に示すように係止本体１とカバー体２の２部材から形成し、係止本体１とカバー体２とはポリアミド、ポリアセタール、ポリプロピレン、ポリブチレンテレフタレートなどの熱可塑性樹脂を用いて射出成形手段によって成形し、この係止本体１に一対のエラスティックコードすなわち弾性紐を引き揃えた挿入紐３の端部を挿入し、カバー体２を係止本体１に嵌装して係止本体１とカバー体２とを係止し、挿入紐３の端部を固定する。
【００３７】
係止本体１は図１，２に示すように前壁５、後壁６、側壁７および頂部８から形成し、前壁５と後壁６とは表裏面の縦中央の上端における頂部８を残して分割して分割溝１７を形成することによって、両側の側壁７を左右に弾性変形させることができる。この側壁７の下部に図３に示すように頂部８の下面から延出した折曲部１０の先端にＶ字状を呈する溝部１１を形成し、溝部１１の深部１２は特に先端側の溝部１１における勾配よりも急勾配に形成し、使用時においてゴム紐などのエラスティックコードの挿入紐３を挿入したとき、挿入紐３を引っ張って太さが縮径されたときでも、溝部１１の急勾配に形成した鋭角状の深部１２によって挿入紐３が食い込む状態で挟持できるように形成する。
【００３８】
両側壁７の上端には図３に示すように頂部８の表裏側へ突出する矢尻状の係止部１９を形成し、また折曲部１０の外面すなわち側壁７には図４に示すように挿入紐３をガイドする弧状のガイド溝１３を設け、カバー体２の嵌入が容易な形態に形成する。さらに頂部８の下面には表裏側へ貫通し挿入紐３の端部を収容できる収容部１４を形成する。
【００３９】
係止本体１の前壁５は図２に示すように、両側の側壁７の表面に連設した側板１６に上下方向でそご状、すなわち食い違い状に分割溝１７へ向けて突出する規制部１５を設けて、係止本体１に挿入した挿入紐３が抜脱するのを防止する。また表裏側は前述のとおり分割溝１７を収容部１４から下方に設ける。
【００４０】
一方カバー体２は、係止本体１が嵌入できる大きさの筒状部２０と底部２１とから形成し、筒状部２０の前方壁２４および後方壁２５の上端に係止本体１の係止部１９と係止できる矢尻状の被係止部２３を内方へ向け突設し、底部２１には折曲部１０に対向して内方へ突出する突出部２２を設けて係止本体１の２個の折曲部１０に対向できる突出部２２を突設し、折曲部１０に挟持された内方へ折り曲げられた挿入紐３を圧接する形態に形成する。
【００４１】
この紐端止め具の使用態様を説明すると、図１に示すように係止本体１の折曲部１０間へ一対の挿入紐３を下方から挿入して折曲部１０の先端側に存在するＶ字状の溝部１１で折り返し、折曲部１０の側壁７に形成したガイド溝１３に沿って上方へ導出し、この状態でカバー体２の筒状部２０を図６に示すように頂部８側から嵌入し、折曲部１０を内側へ弾性変形させて嵌入し、挿入紐３をカバー体２の内壁と折曲部１０の壁面とにより圧接させるとともに、カバー体２の底部２１に形成した突出部２２によって折曲部１０に存在する挿入紐３を外面から圧迫して筒状部２０の上端に設けた被係止部２３と係止本体１の係止部１９とを係止し、図７に示すように挿入紐３を固定する。
【００４２】
なお、図８，９に示す実施例は、係止本体１における折曲部１０の下面に形成する溝部１１とカバー体２の底部２１に形成する圧接面との変形例を示すもので、図８はＶ字状の溝部１１に挿入した挿入紐３をカバー体２の平坦な底部２１で単に圧接するものであり、図９は折曲部１０の下面に形成した溝部１１の形状を鋸歯状に形成し、挿入紐３をカバー体２の底部２１で圧接したものである。
【実施例２】
【００４３】
図１０，１１に示す実施例２の紐端止め具は、係止本体１とカバー体２とから形成し、カバー体２は筒状部２０と底部２１とが別体に形成され、筒状部２０は係止本体１の頂部８と略同一幅の天井部３０を有し、また筒状部２０の前方壁２４を後方壁２５の下方に内方へ向けた係合凸部２８を突設し、底部２１には折曲部１０に対応する突出部２２を設けるとともに、筒状部２０の前方壁２４と後方壁２５に設けた係合凸部２８に対応する係合凹部２９を設け、係合凸部２８と係合凹部２９とを係合してカバー体２を形成し、このカバー体２を係止本体１にセットする。
【００４４】
この実施例の使用態様を説明すると、図１０に示すようにまず一対の挿入紐３を筒状部２０における天井部３０の両側の透孔３１から挿入し、先端を係止本体１における折曲部１０を内方へ折り曲げて挿入し、この状態で筒状部２０を上方から嵌入して折曲部１０を弾性変形させた後、底部２１を下方から筒状部１０に対して圧接して、図１１に示すように係合凸部２８と係合凹部２９とを係合させて、カバー体２を係止本体１に係止し、一対の挿入紐３の端部を固定する。このように構成することで、挿入紐３を強い力で引っ張っても天井部３０が存在するため、確実にカバー体２内に係止本体１を保持できる紐端止め具である。
【産業上の利用可能性】
【００４５】
この発明の紐端止め具は、衣服、バッグ、袋物などの開口部に用いるものであり、一対のエラスティックコードすなわちゴム紐などの弾性紐の端部を一緒に固するために用いるものである。
【図面の簡単な説明】
【００４６】
【図１】実施例１の紐端止め具の一部切断した斜視図である。
【図２】同上紐端止め具の係止本体と一部切断したカバー体の正面図である。
【図３】同上紐端止め具の係止本体とカバー体の図２におけるＡ−Ａ断面図である。
【図４】同上紐端止め具の係止本体の図２におけるＢ−Ｂ断面図である。
【図５】同上紐端止め具の係止本体に挿入紐を挿入した状態を示す断面図である。
【図６】同上紐端止め具の係止本体にカバー体を嵌入した状態を示す断面図である。
【図７】同上紐端止め具の係止本体とカバー体を嵌入した状態を示す縦断面図である。
【図８】変形例を示す係止本体とカバー体の一部を示す断面図である。
【図９】他の変形例を示す係止本体とカバー体の一部を示す断面図である。
【図１０】実施例２の紐端止め具の分割断面図である。
【図１１】同上紐端止め具の係止状態を示す断面図である。
【図１２】公知のストラップコネクターの断面図である。
【図１３】他の公知のコード用エンドストッパーの分解斜視図である。
【符号の説明】
【００４７】
１        係止本体
２        カバー体
３        挿入紐
５        前壁
６        後壁
７        側壁
８        頂部
１０      折曲部
１１      溝部
１４      収容部
１５      規制部
２０      筒状部
２１      底部
２２      突出部
【図１】
2006250243.tif 000003
【図２】
2006250243.tif 000004
【図３】
2006250243.tif 000005
【図４】
2006250243.tif 000006
【図５】
2006250243.tif 000007
【図６】
2006250243.tif 000008
【図７】
2006250243.tif 000009
【図８】
2006250243.tif 000010
【図９】
2006250243.tif 000011
【図１０】
2006250243.tif 000012
【図１１】
2006250243.tif 000013
【図１２】
2006250243.tif 000014
【図１３】
2006250243.tif 000015